(57)【特許請求の範囲】
【請求項１】
液体不透過性の第１のシート材と、この第１のシート材に対して組み合わされる液体透過性の第２のシート材と、前記第１のシート材と第２のシート材との間に配置された吸収部材とを備える吸収性製品において、
前記第１のシート材は、前記吸収部材の側縁よりも外方向に延出した延出部を備えており、
さらに、中間領域が前記第２のシート材の吸収部材側縁部に対応した箇所に固定された固定部を有する第３のシート材を備え、
この第３のシート材は、その外側領域が前記第１のシート材の延出部に対して重ねて固定されることにより、第１のフラップ部を構成すると共に、内側領域が前記固定部に対応する基端側と、前記第１のフラップ部の内側に対して固定された先端側とでなる第２のフラップ部を構成し、
この第２のフラップ部が前記第１のフラップ部の自由端側を上方に向かわせるように支持する構成とした
ことを特徴とする、吸収性製品。
【請求項２】
前記第１のフラップ部の、自由端側の少なくとも使用者の肌に接触する領域には、柔軟な当て部材が配置されていることを特徴とする、請求項１に記載の吸収性製品。
【請求項３】
前記第２のフラップ部は、それぞれ各縦方向端部が外側に折り返されて、第１のフラップ部の基端部近傍に固定されていることを特徴とする、請求項１または２のいずれかに記載の吸収性製品。
【請求項４】
前記第２のフラップ部は、それぞれ各縦方向端部が内側に折り返されて、第２のシート材の上面に固定されていることを特徴とする、請求項１または２のいずれかに記載の吸収性製品。
【請求項５】
前記第２のフラップ部が、前記支持機能に対応した剛性を備える材料で形成されていることを特徴とする、請求項１ないし４のいずれかに記載の吸収性製品。
【請求項６】
前記の第３のシート材は、その外側領域が前記第１のシート材の延出部に対して重ねて固定された箇所に関して、その先端側が前記第１のシート材の延出部よりも長く延びるように構成されていることを特徴とする、請求項１ないし４のいずれかに記載の吸収性製品。
【請求項７】
前記の第１のフラップ部の先端側には、製品の縦方向に沿って弾性部材が配置されていることを特徴とする、請求項１ないし６のいずれかに記載の吸収性製品。
【請求項８】
前記の第２のフラップ部の先端側には、製品の縦方向に沿って弾性部材が配置されていることを特徴とする、請求項１ないし７のいずれかに記載の吸収性製品。
【請求項９】
前記第３のシート材の前記固定部が、下方に吸収部材が配置された箇所に対応した第２のシート材の上面に設けられていることを特徴とする、請求項１ないし８のいずれかに記載の吸収性製品。
【発明の詳細な説明】
【０００１】
【発明の属する技術分野】
この発明は、例えば使い捨てのオシメ等に適用される尿等の液体の吸収製品の改良に関するものである。
【０００２】
【従来の技術】
このような吸収製品として、例えば従来の使い捨てオシメ（襁褓）は次のように構成されている。
一般に、このような「オシメ」は使用者が装着したときに外面となる箇所には、液体不透過性のシート材が適用され、その内側には尿等の液体を吸収するための吸収材が配置され、さらにその内側で使用者の肌と接触する箇所には、液体を透過するシート材が配置されている。
【０００３】
そして、一般にこのような「オシメ」は、使用者が装着したときに、使用者の股を包囲するように、シール手段を備えている。このシール手段により、尿等の液体が「オシメ」の外側に流れて、下着等を汚してしまうことを防止している。
【０００４】
【発明が解決しようとする課題】
ところで、このような「オシメ」では、上述のシール手段として、使用者の股に対応する領域にひとつまたは複数のフラップ部を形成して、このフラップ部により尿等が外部に漏れることを阻止しようとするものである。
しかしながら、このようなフラップは、例えばその自由端側（自由縁部）が使用者の股を包囲するようにして、しかも使用者の肌に密着して、液体が漏れ出ることをシールしようとするものであるが、完全な効果をあげることができないことが多かった。
【０００５】
つまり、シールすべき全ての領域において、使用者の肌と密着しようとしても、起伏が多く柔軟な使用者の肌にフラップ部先端側（自由端側）が完全に密着することができずに、隙間から漏れてしまうことがある。
この点、フラップを所謂「立体ギャザー」として構成しても、フラップが十分な立ち姿勢を維持することができないと、上記密着状態を実現できない。
このため、特に、「オシメ」の装着時に比較的多量の排尿が一時にあると、オシメ内側の液圧もたかまり、上記わずかな隙間から、外部に漏れ出ることがある。
【０００６】
本発明は、このような問題を解決するためになされたもので、装着者の排出する液体等を外部に漏らすことなく、完全に内側にシールできる吸収性製品を提供することを目的としている。
【０００９】
【課題を解決するための手段】
上記目的は、請求項１の発明によれば、液体不透過性の第１のシート材と、この第１のシート材に対して組み合わされる液体透過性の第２のシート材と、前記第１のシート材と第２のシート材との間に配置された吸収部材とを備える吸収性製品において、前記第１のシート材は、前記吸収部材の側縁よりも外方向に延出した延出部を備えており、さらに、中間領域が前記第２のシート材の吸収部材側縁部に対応した箇所に固定された固定部を有する第３のシート材を備え、この第３のシート材は、その外側領域が前記第１のシート材の延出部に対して重ねて固定されることにより、第１のフラップ部を構成すると共に、内側領域が前記固定部に対応する基端側と、前記第１のフラップ部の内側に対して固定された先端側とでなる第２のフラップ部を構成し、この第２のフラップ部が前記第１のフラップ部の自由端側を上方に向かわせるように支持する構成とした、吸収性製品により、達成される。
【００１０】
請求項１の構成によれば、使用者がこの吸収性製品を着用した状態において、前記第２のシート材が使用者の尿等の液体成分を内側に透過し、この液体成分は前記吸収部材に吸収され、第１のシート材の機能により外部に透過しないようになっている。フラップ部はこれらシート材の縁部に配置され、この縁部から上記尿等が漏れないようにシールする。
ここで、本発明では、上記第１及び第２のシート材の他に第３のシート材を使用する。つまり、この第３のシート材の外側領域が第１のシート材の延出部と重ねられて第１のフラップ部を形成することができる。
また、第３のシート材の中間領域は、第２のシート材との固定部を形成し、これにより製品と一体化される。そして、第３のシート材の内側領域により、第２のフラップ部が形成される。この第２のフラップ部は、先端側が第１のフラップ部に固定されることにより、この第１のフラップ部の自由端側を上方に向かわせる。これによって、第１のフラップ部は、立ち姿勢を十分に保持することができて、使用者の尿等の汚物をその液体成分を含めて、この第１のフラップ部より内側で使用者の身体の間に閉じ込める。
【００１１】
請求項２の発明は、請求項１の構成において、前記第１のフラップ部の、自由端側の少なくとも使用者の肌に接触する領域には、柔軟な当て部材が配置されているように構成される。
【００１２】
請求項２の構成によれば、第１のフラップ部は着用状態において、使用者の脚部の周囲に対して、前記当て部材により接触される。このため、第１のフラップ部の先端側がこの柔軟な当て部材を介して使用者の肌に密着する。
【００１３】
請求項３の発明は、請求項１または２のいずれかの構成において、前記第２のフラップ部は、それぞれ各縦方向端部が外側に折り返されて、第１のフラップ部の基端部近傍に固定されている。
【００１４】
請求項３の構成によれば、第２のフラップ部の各縦方向端部が第１のフラップ部の基端部近傍に固定されることにより、その間の領域では、第２のフラップ部の先端側が起立状態になり、これによって、第２のフラップ部は第１のフラップ部の起立姿勢を保持できる。
【００１５】
請求項４の発明は、請求項１または２のいずれかの構成において、前記第２のフラップ部は、それぞれ各縦方向端部が内側に折り返されて、第２のシート材の上面に固定されている。
【００１６】
請求項４の構成によれば、第２のフラップ部の各縦方向端部が第２のシート材の上面に固定されることにより、その間の領域では、第２のフラップ部の先端側が起立状態になり、これによって、第２のフラップ部は第１のフラップ部の起立姿勢を保持できる。
【００１７】
請求項５の発明は、請求項１ないし４のいずれかの構成において、前記第２のフラップ部が、前記支持機能に対応した剛性を備える材料で形成されている。
【００１８】
請求項５の構成によれば、第２のフラップ部自体が剛性を備えていることから、特別に別の部材を構成に加えることなく、支持機能を発揮することができる。
【００１９】
請求項６の発明は、請求項１ないし４のいずれかの構成において、前記の第３のシート材は、その外側領域が前記第１のシート材の延出部に対して重ねて固定された箇所に関して、その先端側が前記第１のシート材の延出部よりも長く延びるように構成されている。
【００２０】
請求項６の構成によれば、第３のシート材の先端側が第１のシート材よりも長く延びているので、第１のフラップ部の先端側が使用者の肌に接触する際に、この第３のシート材側を当接させることができる。
【００２１】
請求項７の発明は、請求項１ないし６のいずれかの構成において、前記の第１のフラップ部の先端側には、製品の縦方向に沿って弾性部材が配置されている。
【００２２】
請求項７の構成によれば、第１のフラップ部の自由側は、前記弾性部材の弾性力によって、起立するようになされるので、これにより、第１のフラップ部の起立状態をより確実にすることができる。
【００２３】
請求項８の発明は、請求項１ないし７のいずれかの構成において、前記の第２のフラップ部の先端側には、製品の縦方向に沿って弾性部材が配置されている。
【００２４】
請求項８の構成によれば、第２のフラップ部の先端側は、前記弾性部材の弾性力によって、起立するようになされるので、これにより、第１のフラップ部の起立状態をより確実に支持することができる。
【００２５】
請求項９の発明は、請求項１ないし８のいずれかの構成において、前記第３のシート材の前記固定部が、下方に吸収部材が配置された箇所に対応した第２のシート材の上面に設けられている。
【００２６】
請求項９の構成によれば、前記固定箇所を下方に吸収部材が配置された箇所に対応した第２のシート材の上面とすることによって、第１のフラップ部に対して固定されている第２のフラップ部の基端側近傍で、使用者の排出した尿等が阻止される。この阻止された尿等は、そのまま下方の吸収部材に急速に浸透するから、この尿等が外部にもれることがより確実に回避される。
【００２７】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２８】
図１は、本発明の実施形態による吸収性製品の一例としてのオシメの内側を上にして示した上面図であり、第２図はこのオシメの全体を示す概略斜視図である。また、図３は図１のＡ−Ａ線断面図、図４は図１のＢ−Ｂ線断面図である。
【００２９】
図２のオシメ１０は、外側に第１のシート材１１を有し、図３に示すように、その内側には、吸収部材１６を配置し、さらに内側には、第２のシート材１２を備えている。
上記第１のシート材１１は、液体を通さないが、好ましくは水蒸気を透過させて蒸れを防止でき、ある程度可撓性を備えている材料が選択されることにより、オシメ１０の内側の内容物（汚物）が外部に漏れで無いようになっている。このため、この第１のシート材１１の材質としては、薄いプラスチックフィルム，具体的には、ポリエチレンフィルムやポリエチレンラミネート紙等が選択される。
【００３０】
第２のシート材１２は、直接使用者の肌に触れるため、肌を必要以上に損なうことなく、肌触りのよい点等を考慮して、これに適した材料が選択される。さらには、第２のシート材１２は、液体を透過させ、特に速やかに液体成分が透過されるのに適した材質の繊維として、種々の天然繊維、合成繊維、あるいはこれらの組み合わせから適宜選択される。
上記合成繊維としては、例えばポリエステルやポリプロピレンのファイバーを素材として、液体透過性をよくするように形成した繊維が好適である。
【００３１】
上記第１のシート材１１及び第２のシート材１２は、例えば図１に示すように、オシメとして使用した場合に適した大きさと形状にされて、少なくとも図１の上下の縁部において互いに固定されている。この固定方法は、例えば上記縁部において、接着したり、縫着したりして、適宜固定される。
ここで、第２のシート材１２は、吸収体１６よりも大きく、その上面を十分覆い得る形状でなっていればよい。これに対して、図３及び図４に示されているように、第１のシート材１１は、第２のシート材１２よりも、少なくともその幅方向において大きく、外方に向かって延出している。
【００３２】
図１において、このオシメ１０は、全体としてほぼ長方形を呈しており、各長辺を構成する互いに対向する縁部１７及び１８を有している。第１のフラップ部１３は、これら縁部１７，１８に沿うようにして、後述するように一対設けられる。
このオシメ１０は、図１において、縦方法に沿った仮想の中心線ＣＬに関して左右対称の形状となっている。
ここで、以下の説明において、図１の仮想線ＣＬを基準として、この仮想線ＣＬに関して、ＣＬに近いものを「内側」とし、これから離れる方向を「外側」とする。
また、オシメ１０は、縦方向（図において上下の方向）にほぼ三分される３つの領域を有しており、図において上から第１の領域２１、第２の領域２２、第３の領域２３を備えている。第１の領域２１は、使用者がオシメ１０を装着した場合の使用者の腰下部の前側の領域に対応しており、第２の領域２２は、使用者の会陰を含む股部に対応し、第３の領域２３は、尻から腰下部の後側に対応する領域である。
【００３３】
図３に示すように、上記第１のシート材１１と第２のシート材１２の間には吸収部材１６が配置される。この吸収体１６は、図１においては一点鎖線で表されており、図において両側縁には、使用者の左右の脚部の付け根に対応して、やや内側に凹んだ箇所が、股ぐり部１６ａ，１６ｂとして示されている。
さらに、この吸収部材１６は、第２のシート材１２を透過して浸透した液体成分を吸収して、保持する役割を果たす。したがって、液体吸収性にすぐれ、これをそのまま，あるいは半固化もしくは固化して保持する機能を備える材質のものが使用される。
このような材料としては、例えば吸水性の重合体が適しており、例えばポリアクリル酸塩系共重合体、澱粉−アクリロニトリルグラフト共重合体の加水分解物、澱粉−アクリル酸グラフト共重合体、ポリビニルアルコール−アクリル酸塩共重合体、カルボキシメチルセルロース変成物等が挙げられる。
さらに、この吸収部材１６には、殺菌剤を含有させることができ、これにより、尿中の尿素から細菌がアンモニアを生成することが防止できる。これにより、肌あれを生じる事などを有効に防止できる。このような殺菌剤としては、例えば塩化ベンザルコニウム、グルコン酸クロルヘキシジン等が挙げられる。
【００３４】
第３のシート材３１，３１は、例えば、使用者の肌に接触しても不快な感触を与えないように、かつ液体不透過性の材料で形成され、好ましくは後述するように、起立姿勢を保持するのに適した材料として、後述するように弾性部材の力を受けて、起立姿勢を保持するとともに、第１のフラップ部１３の自由端側を上方に向かわせるように支持するために適度の可撓性を有するような性質を備えたものが適している。このような材料としては、具体的には、例えばポリレフィン系あるいはポリエステル系の不織布や、さらに好ましくは（撥水機能を備えた）弾性フォーム，あるいは太デニールのエアスルー製法による不織布，スパンボンド製法の不織布等を用いることができる。
図１に示すように、二枚の第３のシート材３１，３１は、おむつ１０の対向側縁部に沿って縦方向に配置される帯状のシート材である。
図３に示されているように、上記第３のシート材３１は、その幅方向に沿って内側領域３２、中間領域３３、外側領域３４を備えている。
【００３５】
図３において、この第３のシート材３１の中間領域３３の左端部は、第２のシート材１２の上面に対して、固定部３３ａにて固定されている。この固定部３３ａは、第２のシート材１２の下方の吸収部材１６の右側側縁部に対応しており、好ましくは、吸収部材１６の上記側縁部より内側（図１の仮想線ＣＬより）に設けられる。
【００３６】
第３のシート材３１の外側領域３４は、第１のシート材１１の側縁部において外方に延出した延出部３５に重ねて固定される。この重合部分が第１のフラップ部１３を構成する。
特に、この実施形態においては、第３のシート材３１の外側領域３４は、上記第１のシート材１１の延出部３５の端部を越えて長く延びる延長部３１ａを備えている。これにより、後述するように第１のフラップ部１３が起立姿勢をとったときに、第３のシート材３１側が確実に使用者の肌に接触するようになっている。このため、比較的固い感触の第１のシート材１１の延出部３５側が使用者の肌に接触して、使用者が不快に感じることがないようになっている。
【００３７】
また、第３のシート材３１の内側領域３２はそのまま第２のフラップ部１４を構成する。
これにより、図１に示されているように、第１のフラップ部１３，１３はオシメ１０の互いに対向する各側縁部１７，１８に沿って設けらることになる。
これにより、第１のフラップ部１３は、後述する使用者の排泄物を股部近傍の太股付近においてシールする役割を果たす。
【００３８】
ここで、この第１のフラップ部１３の高さ（第１のフラップ部１３の基端側から自由端までの距離）は、上記第２のフラップ部１４の高さ（第２のフラップ部１４の基端側３８から先端側３７までの距離）よりも高く（長く）なるように設定されている。
また、好ましくは、第１のフラップ部１３の自由端４２側には、第１のシート材１１と第３のシート材３１の間に弾性部材としてのゴム部材４６，４７が配置されている。このゴム部材４６，４７は、第１のフラップ１３の自由端側の図１において縦方向にそって固定されており、その引っ張り力により第１のフラップ１３がそれだけである程度起立姿勢を保つことができるようになっている。しかしながら、オシメ１０を装着した状態で使用者が脚部を動かすと、第１のフラップ部１３の自由端側４２は、使用者の肌に常に安定的に密着できないことがある。したがって、第１のフラップ部１３の自由端４２側を常に安定的に起立させるために、第２のフラップ部１４が必要となる。
【００３９】
上記第２のフラップ部１４は、図３においては、その先端側３７が、第１のフラップ部１３の内側に固定部３６にて固定されている。すなわち、第２のフラップ部１４の基端側３８は、上記固定部３３ａにて、第２のシート材１２の上面に固定され、先端側３７は第１のフラップ部１３に固定される構造となっている。この第２のフラップ部１４の先端側３７を第１のフラップ部１３に固定する範囲は、ほぼ図１の領域２２の全域に対応する範囲であり、場合によりこれより中心付近のみについて行ってもよい。
そして、第２のフラップ部１４の先端側の図１において縦方向端部４５，４６は、後述するように第１のシート材１２の上面に固定される。
さらに、第２のフラップ部１４の先端側３７はループ状に折り曲げられて、トンネル部３９が形成され、このトンネル部３９内には弾性部材としての例えば紐状のゴム部材４１が挿通されている。
【００４０】
この弾性部材は、第２のフラップ部１４の先端側３７を図１の縦方向に引っ張る力を付与するものである。これにより、第２のフラップ部１４の先端側が図３において上方に向かうように作用する。したがって、このような作用をもたらすものであれば紐状ゴム部材でなくても、他の形態によってもよい。また、これと同等の作用をはたすものとして、所定の剛性を備えた部材を４１として弾性部材のかわりに配置してもよいし、このような弾性部材や剛性を備えた部材を用いないで、第２のフラップ１４自体を、ある程度剛性を備えた部材で形成してもよい。
【００４１】
さらに、第２のフラップ部１４の図１において各縦方向端部４５，４６は、図２及び図４に示されているように、内側に折り返されて接着，縫着等の手段により固定されている。
これにより、第２のフラップ部１４は各縦方向端部が固定されることで上述の弾性部材４１の各端部が固定されることにより、この各固定部の間の領域は弾性部材４１の作用によって第２のフラップ部１４の先端側が上方に向かうようにされる。
この第２のフラップ部１４の先端側が上方に向かうことによって、この先端側３７が固定されている第１のフラップ１３の自由端４２が上方に向かうように支持される。
そして、後述するように、オシメ１０の装着時には、この第１のフラップ部１３の自由端側４２が使用者の肌に常に密着し、第１のフラップ部１３よりも短い第２のフラップ部１４は使用者の肌に密着しない。
【００４２】
本実施形態は以上のように構成されており、次にその作用を説明する。
この実施形態のオシメ１０は、図１にて説明したオシメ１０の各領域２１、２２，２３をそれぞれ使用者の身体の各対応部位に合わせて着用する。
このような着用状態において、使用者が尿や糞、血液等の排泄物を排出した状態では、次のようになる。
【００４３】
先ず、排泄物のうち尿その他の液体成分は、第２のシート材１２を透過して、吸収部材１６に速やかに吸収されて保持される。
この時、例えば排泄の瞬間には、排泄された液体成分の全量が第２のシート材１２を透過して吸収部材１６に瞬時に吸収されるものではないので、これらの排泄物は、吸収部材１６に吸収されるまでは、身体と第２のシート材１２の間に短時間介在することになる。
【００４４】
これらの排泄物は、オシメ１０と身体との隙間である側縁部をまわって外部に漏れでようとする。しかしながら、この排泄物は、第２のフラップ部１４の先端側が固定された第１のフラップ部１３の内側により阻止されることになる。
すなわち、第２のフラップ部１４の先端側は、その縦方向端部４５，４６が内側に折り返されて固定されていることにより、各縦方向端部４５，４６の固定部の間の領域では、先端側は上方に向くことになる。
ここで、第２のフラップ部１４の先端部には弾性部材３９が配置されていることから、その弾性力が上記各固定部の間において、第２のフラップ部１４の先端側にはその長さ方向に関して引っ張り力が働き、内側に起き上がる力となる。
【００４５】
この第２のフラップ部１４の先端側３７は、上述したように、第１のフラップ部１３の自由端４２側の内面に固定されている。このため、第１のフラップ部１３に対して、その自由端側４２を図３の矢印Ｄ方向に付勢する力として作用するから、この第１のフラップ部１３を起立状態に保持するように支持することになる。
【００４６】
一方、この第１のフラップ部１３自体も、上述のようにその自由端４２において弾性部材４６，４７により長さ方向に引っ張られることで、この引っ張り力も上記起立状態を維持するために作用する。
かくして、第１のフラップ部１３は第２のフラップ部１４の働きにより、起立状態を確実の保持でき、このことは、第１のフラップ部１３の自由端側４２が、オシメ１０を使用者が装着した状態においては、使用者の各部のつけね付近の内周部において、常に確実に密着し、使用者が多少動いたりして、脚部の運動をともなう動作をしても、上記密着を維持することができる。
【００４７】
したがって、使用者の排泄物は、上記第１のフラップ部１３の内側で止められて、その自由端４２が使用者の肌に常に確実に密着することから、これを越えて排泄物が外部に出ることはない。
しかも、この実施形態では、このようなシール作用を第１のフラップ部１３のみにて行うようにしたのであり、この第１のフラップ部１３は、オシメ１０の側縁の最も外側であるから、これより内側で止めるより、よりたくさんの排泄物を保持できる。また、この第１のフラップ部１３は、オシメ１０の装着状態  いおいて、使用者の脚部の付け根周囲に配置されるので、使用者の体の外形に沿って確実にシールすることになる。
さらに、図３にて説明したように、使用者の肌に接触するのは、第１のフラップ部１３において、その第３のシート材３１の延長部３１ａとしたので、第１のシート材１１側が使用者の肌に触れて、不快な感触を与えることが防止され、装着感が向上される。
【００４８】
図５及び図６は、本発明の第２の実施形態としてのオシメ５０を示す図であり、各図は図１のＡ−Ａ線及びＢ−Ｂ線の概略断面図に対応する図である。
このオシメ５０については、以下で特に相違を説明しない箇所，あるいは同じ符号を付した箇所は第１の実施形態のオシメ１０と同じ構造であり、同様な作用効果を発揮する。
このオシメ５０が上述のオシメ１０と相違する点は、第２のフラップ部１４の先端側３７に弾性部材が配置されていない点である。
このため、第２のフラップ部１４を構成する第３のシート材３１は、ある程度型保持できる剛性を備えた材料で形成され、例えば使用者の肌に接触しても不快な感触を与えないように、かつ液体不透過性の材料で形成され、好ましくは、起立姿勢を保持するのに適した材料として、弾性部材の力を受けて、起立姿勢を保持するとともに、第１のフラップ部１３の自由端側を上方に向かわせるように支持するために適度の可撓性を有するような性質を備えたものが適している。このような材料としては、具体的には、例えばポリレフィン系あるいはポリエステル系の不織布や、さらに好ましくは（撥水機能を備えた）弾性フォーム，あるいは太デニールのエアスルー製法による不織布，スパンボンド製法の不織布等を用いることができる。
この実施形態では、第１の実施形態と比較すると、第２のフラップ部１４の形成が簡単となり、その分製造工程を簡略化できる。
【００４９】
図７乃至図９は、本発明の第３の実施形態としてのオシメ６０を示す図であり、図７は、第１の実施形態の図２に対応し、図８及び図９は図１のＡ−Ａ線及びＢ−Ｂ線の概略断面図に対応する図である。
このオシメ６０については、以下で特に相違を説明しない箇所，あるいは同じ符号を付した箇所は第１の実施形態のオシメ１０と同じ構造であり、同様な作用効果を発揮する。
図８に示すように、このオシメ６０では、その第３にシート材３１の外側領域３４は、図３のような延長部を備えていない。このため、第１のフラップ部１３を構成する第３のシート材３１の外側領域３４と第１のシート材１１の延出部３５は同じ長さである。
このため、オシメ６０を装着した場合に、第１のフラップ部１３が起立姿勢をとってその先端側が使用者の肌に向かったときに、例えばこの先端側の外側面に配置されて、使用者の肌にふれる箇所に対応して、当て部材６１が設けられている。
【００５０】
この当て部材６１は、例えば比較的肌触りのよい、使用者の肌に不快な刺激をあたえない材料で形成され、例えばポリオレフィン系あるいはポリエステル系の不織布や好ましくは不織布に起毛処理を施したものが好適に使用される。
この当て部材６１は、図７において、オシメ６０の縦方向に沿った長い帯状の部材で形成され、図８及び図９に示すように第１のフラップ部１３の先端側の外側の位置に配置固定される。
【００５１】
これにより、オシメ６０は、第１の実施形態と同様の作用効果を発揮するとともに、使用者の肌には、特に用意された上記当て部材６１が接触することから、装着感を一層向上させることができる。
【００５２】
図１０及び図１１は、本発明の第４の実施形態としてのオシメ７０を示す図であり、各図は図１のＡ−Ａ線及びＢ−Ｂ線の概略断面図に対応する図である。
このオシメ７０については、以下で特に相違を説明しない箇所，あるいは同じ符号を付した箇所は第３の実施形態のオシメ５０と同じ構造であり、同様な作用効果を発揮する。
このオシメ７０が上述のオシメ６０と相違する点は、第２のフラップ部１４の先端側３７に弾性部材が配置されていない点である。
このため、第２のフラップ部１４を構成する第３のシート材３１は、ある程度型保持できる剛性を備えた材料で形成され、例えば使用者の肌に接触しても不快な感触を与えないように、かつ液体不透過性の材料で形成され、好ましくは、起立姿勢を保持するのに適した材料として、弾性部材の力を受けて、起立姿勢を保持するとともに、第１のフラップ部１３の自由端側を上方に向かわせるように支持するために適度の可撓性を有するような性質を備えたものが適している。このような材料としては、具体的には、例えばポリレフィン系あるいはポリエステル系の不織布や、さらに好ましくは（撥水機能を備えた）弾性フォーム，あるいは太デニールのエアスルー製法による不織布，スパンボンド製法の不織布等を用いることができる。
この実施形態は、第３の実施形態と比較すると、第２のフラップ部１４の形成が簡単となり、その分製造工程を簡略化できる。
【００５３】
図１２乃至図１４は、本発明の第５の実施形態のオシメ８０を示している。
図１２及び図１３は、第１の実施形態の図１及び図２に対応し、図１４は図１２のＢ−Ｂ線の概略断面図である。
このオシメ６０については、以下で特に相違を説明しない箇所，あるいは同じ符号を付した箇所は第１の実施形態のオシメ１０と同じ構造であり、同様な作用効果を発揮する。
図１２及び図１３に示されているように、一対の第２のフラップ部１４の縦方向端部８５，８６は、仮想線ＣＬに関してそれぞれ外側に折り返されて固定されている。これにより、図１４に示すように、第１の実施形態と同様に第２のフラップ部１４は、第１のフラップ部１３が起立姿勢を保持することを支持するように作用する。
そして、このオシメ８０も第１の実施形態と同じ作用効果を発揮する。
【００５４】
図１５は、本発明の第６の実施形態としてのオシメ８５を示す図であり、この図は図１２のＢ−Ｂ線の概略断面図に対応する図である。
このオシメ８５については、以下で特に相違を説明しない箇所，あるいは同じ符号を付した箇所は第５の実施形態のオシメ８０と同じ構造であり、同様な作用効果を発揮する。
このオシメ８５が上述のオシメ８０と相違する点は、第２のフラップ部１４の先端側３７に弾性部材が配置されていない点である。
このため、第２のフラップ部１４を構成する第３のシート材３１は、ある程度型保持できる剛性を備えた材料で形成され、例えば使用者の肌に接触しても不快な感触を与えないように、かつ液体不透過性の材料で形成され、好ましくは、起立姿勢を保持するのに適した材料として、弾性部材の力を受けて、起立姿勢を保持するとともに、第１のフラップ部１３の自由端側を上方に向かわせるように支持するために適度の可撓性を有するような性質を備えたものが適している。このような材料としては、具体的には、例えばポリレフィン系あるいはポリエステル系の不織布や、さらに好ましくは（撥水機能を備えた）弾性フォーム，あるいは太デニールのエアスルー製法による不織布，スパンボンド製法の不織布等を用いることができる。
これにより、この実施形態では、第５の実施形態と比較すると、第２のフラップ部１４の形成が簡単となり、その分製造工程を簡略化できる。
【００５５】
図１６及び図１７は、本発明の第７の実施形態としてのオシメ９０を示す図であり、図７は、第５の実施形態の図１３に対応し、図１７は図１２のＢ−Ｂ線の概略断面図に対応する図である。
このオシメ９０については、以下で特に相違を説明しない箇所，あるいは同じ符号を付した箇所は第５の実施形態のオシメ８０と同じ構造であり、同様な作用効果を発揮する。
図１７に示すように、このオシメ９０では、その第３のシート材３１の外側領域３４は、図１４のような延長部３１ａを備えていない。このため、第１のフラップ部１３を構成する第３のシート材３１の外側領域３４と第１のシート材１１の延出部３５は同じ長さである。
このため、オシメ９０を装着した場合に、第１のフラップ部１３が起立姿勢をとってその先端側が使用者の肌に向かったときに、例えばこの先端側の外側面に配置されて、使用者の肌にふれる箇所に対応して、当て部材６１が設けられている。
【００５６】
この当て部材６１は、例えば比較的肌触りのよい、使用者の肌に不快な刺激をあたえない材料で形成され、例えば比較的肌触りのよい、使用者の肌に不快な刺激をあたえない材料で形成され、例えばポリオレフィン系あるいはポリエステル系の不織布や好ましくは不織布に起毛処理を施したものが好適に使用される。
この当て部材６１は、図１６において、オシメ６０の縦方向に沿った長い帯状の部材で形成され、図１７に示すように第１のフラップ部１３の先端側の外側の位置に配置固定される。
【００５７】
これにより、オシメ９０は、第５の実施形態と同様の作用効果を発揮するとともに、使用者の肌には、特に用意された上記当て部材６１が接触することから、装着感を一層向上させることができる。
【００５８】
図１８は、本発明の第８の実施形態としてのオシメ９５を示す図であり、この図は図１２のＢ−Ｂ線の概略断面図に対応する図である。
このオシメ９５については、以下で特に相違を説明しない箇所，あるいは同じ符号を付した箇所は第７の実施形態のオシメ９０と同じ構造であり、同様な作用効果を発揮する。
このオシメ９５が上述のオシメ９０と相違する点は、第２のフラップ部１４の先端側３７に弾性部材が配置されていない点である。
このため、第２のフラップ部１４を構成する第３のシート材３１は、ある程度型保持できる剛性を備えた材料で形成され、例えばある程度型保持できる剛性を備えた材料で形成され、例えば使用者の肌に接触しても不快な感触を与えないように、かつ液体不透過性の材料で形成され、好ましくは、起立姿勢を保持するのに適した材料として、弾性部材の力を受けて、起立姿勢を保持するとともに、第１のフラップ部１３の自由端側を上方に向かわせるように支持するために適度の可撓性を有するような性質を備えたものが適している。このような材料としては、具体的には、例えばポリレフィン系あるいはポリエステル系の不織布や、さらに好ましくは（撥水機能を備えた）弾性フォーム，あるいは太デニールのエアスルー製法による不織布，スパンボンド製法の不織布等を用いることができる。
これにより、この実施形態では、第３の実施形態と比較すると、第２のフラップ部１４の形成が簡単となり、その分製造工程を簡略化できる。
【００５９】
本発明は上述の実施形態に限定されない。
上述の実施形態の第１及び第２のシート材と吸収部材ならびに各フラップ部を適用して、オシメ以外のこれより小さな吸収性製品，例えば女性用生理用品や、失禁用の補助吸収性製品等種々の製品に応用することができる。
また、図１のオシメに使用者が装着する上で便利な固定用のテープ等の有意な構成を付加して、所謂パンツタイプとした製品も本発明の範囲である。
さらにまた、例えば図１のオシメ１０において、領域２１と２３を長さ方向にやや延長し、この領域２１と２３の両側縁どうしを重ねて固定し、はくことができる製品としたものも本発明の範囲である。
【００６０】
【発明の効果】
以上述べたように、本発明によれば、装着者の排出する液体等を外部に漏らすことなく、完全に内側にシールできる吸収性製品を提供することができる。
【図面の簡単な説明】
【図１】本発明による吸収性製品の第１の実施形態としてのオシメの上面図である。
【図２】図１のオシメの概略斜視図である。
【図３】図１のＢ−Ｂ線概略断面図である。
【図４】図１のＡ−Ａ線概略断面図である。
【図５】本発明による吸収性製品の第２の実施形態の図３に対応する図である。
【図６】本発明による吸収性製品の第２の実施形態の図４に対応する図である。
【図７】本発明による吸収性製品の第３の実施形態の概略斜視図である。
【図８】本発明による吸収性製品の第３の実施形態の図３に対応する図である。
【図９】本発明による吸収性製品の第３の実施形態の図４に対応する図である。
【図１０】本発明による吸収性製品の第４の実施形態の図３に対応する図である。
【図１１】本発明による吸収性製品の第４の実施形態の図４に対応する図である。
【図１２】本発明による吸収性製品の第５の実施形態としてのオシメの上面図である。
【図１３】図１２のオシメの概略斜視図である。
【図１４】図１２のＢ−Ｂ線概略断面図である。
【図１５】本発明による吸収性製品の第６の実施形態の図１４に対応する図である。
【図１６】本発明による吸収性製品の第７の実施形態としてのオシメの概略斜視図である。
【図１７】図１６のオシメの図１５に対応する図である。
【図１８】本発明による吸収性製品の第８の実施形態の図１５に対応する図である。
【符号の説明】
１０，５０，６０，７０，８０，８５，９０，９５・・・オシメ、１１・・・第１のシート材、１２・・・第２のシート材、１３・・・第１のフラップ部、１４・・・第２のフラップ部、１６・・・吸収部材、３１・・・第３のシート材、３２・・・内側領域、３３・・・中間領域、３４・・・外側領域、３５・・・延出部、３７・・・先端側、３８・・・基端側、４２・・・自由端。
【図１】
0003688875.tif 000002
【図２】
0003688875.tif 000003
【図３】
0003688875.tif 000004
【図４】
0003688875.tif 000005
【図５】
0003688875.tif 000006
【図６】
0003688875.tif 000007
【図７】
0003688875.tif 000008
【図８】
0003688875.tif 000009
【図９】
0003688875.tif 000010
【図１０】
0003688875.tif 000011
【図１１】
0003688875.tif 000012
【図１２】
0003688875.tif 000013
【図１３】
0003688875.tif 000014
【図１４】
0003688875.tif 000015
【図１５】
0003688875.tif 000016
【図１６】
0003688875.tif 000017
【図１７】
0003688875.tif 000018
【図１８】
0003688875.tif 000019